(57)【要約】【課題】  一回のコーミングによって櫛歯の間に多くの毛髪を捉えることできるとともに、ブロッキングや櫛の持ち替えを必要とせず、毛髪を直線的に揃えやすく、施術者の指を傷つけることなく、施術者が頭部全体の仕上がりをイメージすることも容易で、カット又は染色等の理美容作業を効率よく行うことができる、低コストで製造可能な理美容用櫛及びこれを用いた理美容方法を提供する。【解決手段】  支持部２と、支持部２の一側に一列に互いに略平行に設けられた複数本の櫛歯３とを備え、櫛歯３は、その当接部を介して当接させた頭部５に向かって押圧されることにより、各々が頭部５の形状に応じて、曲げ弾性変形可能とされた理美容用櫛１。【選択図】図１
2010227205.tif 000002
【特許請求の範囲】
【請求項１】
支持部と、
上記支持部の一側に一列に互いに略平行に設けられた複数の櫛歯とを備え、
上記櫛歯は、その当接部を介して当接させた頭部に向かって押圧されることにより、各々が上記頭部の形状に応じて、曲げ弾性変形可能であること
を特徴とする理美容用櫛。
【請求項２】
上記複数の櫛歯は、上記曲げ弾性変形させた場合に、櫛歯の厚み方向の撓みが、０．５ｃｍ以上６．０ｃｍ以内となるように各々設定されていること
を特徴とする請求項１記載の理美容用櫛。
【請求項３】
上記各々の櫛歯の根元から先端までの長さは、６．０〜２３．０ｃｍであり、
上記各々の櫛歯の併設方向における幅は、１．０〜１２．０ｍｍであり、
上記各々の櫛歯の厚みは、１．０〜５．０ｍｍであること
を特徴とする請求項１又は２記載の理美容用櫛。
【請求項４】
上記櫛歯の併設方向の断面形状は、長方形であり、
上記櫛歯の併設方向における幅をＷｍｍとし、上記櫛歯の厚みをＨｍｍとした場合に、Ｗ＞Ｈであること
を特徴とする請求項１〜３のうち何れか１項記載の理美容用櫛。
【請求項５】
上記櫛歯の併設方向における幅は、櫛歯の根元から、櫛歯の先端部に至るまでの中間部において、各々一定であること
を特徴とする請求項１〜４のうち何れか１項記載の理美容用櫛。
【請求項６】
上記複数の櫛歯の根元から先端までの長さは、上記支持部の中央部に設けられた櫛歯が最も長く、他の櫛歯の長さは、上記支持部の中央部から左右の末端部に向かうに従って短い長さとされていること
を特徴とする請求項１〜５のうち何れか１項記載の理美容用櫛。
【請求項７】
上記櫛歯の間隔は、０〜３．０ｍｍ以内であること
を特徴とする請求項１〜６のうち何れか１項記載の理美容用櫛。
【請求項８】
上記櫛歯は、合成樹脂からなり、
上記櫛歯の併設方向における幅は、約６．０ｍｍであり、
上記櫛歯の厚みは、約４．０ｍｍであり、
上記櫛歯の間隔は、約１．０ｍｍであること
を特徴とする請求項１〜７のうち何れか１項記載の理美容用櫛。
【請求項９】
上記櫛歯どうしの間隙において、櫛歯の根元から先端までの間に、隣り合う櫛歯どうしを接触させた接触面が、少なくとも１面形成されていること
を特徴とする請求項１〜７のうち何れか１項記載の理美容用櫛。
【請求項１０】
上記櫛歯は、櫛歯の厚み方向に湾曲されていること
を特徴とする請求項１〜９のうち何れか１項記載の理美容用櫛。
【請求項１１】
請求項１〜１０のうち何れか１項記載の理美容用櫛の櫛歯を頭部に当接させ、
上記当接部を上記頭部に向かって押圧しながら上記理美容用櫛をスライドさせることにより、上記頭部の毛髪を上記櫛歯の間に通しながら、各々の櫛歯を上記頭部の形状に対応して曲げ弾性変形させ、
上記毛髪を梳き上げて理美容すること
を特徴とする理美容方法。
【発明の詳細な説明】
【技術分野】
【０００１】
本発明は、主に毛髪をカットする時や染色する時に用いられる理美容用櫛及び理美容方法に関する。
【背景技術】
【０００２】
従来、美容師や理髪師といった施術者が毛髪をカットする場合、先ず櫛を用いて毛髪を梳かす（以下、コーミングという。）。そしてコーミングを数回行った後、はさみにより毛髪をカットする。また毛髪を染色する場合においても、同様にコーミングを数回行った後、毛髪を染色する。
【０００３】
このため櫛には、髪を梳く際の抵抗に負けない程度の強度と、施術者が取り扱い易い形状や重さが求められる。一般的な櫛は図１２に示すように平板状であって、正面視で略長方形の支持部３２と、その一辺に櫛歯３３が形成され、支持部３２から連設される柄３４を有しており、セルロイド等の合成樹脂から製造されることが多い。
【０００４】
しかし、このような従来の櫛の櫛歯は短く硬いため、湾曲形状の頭部に当接された櫛は、変形することなく平板状態で接触することとなる。そのため、全ての櫛歯が一度に頭部に接することはできず、かつ櫛歯が短いため一回のコーミングにより、櫛歯の間隙に捉えさせることができる毛髪の量は限られる。このため頭部全体のカット又は染色作業では、施術者は何回も櫛を頭部に当て、コーミングを繰り返さなければならない。
【０００５】
また、一般に美容師が長い毛髪をカットする場合、被施術者の毛髪をカットしやすいように、カットを行う前に、頭部の毛髪を必要な数の部位に分け、各部位ごとに毛髪をまとめて分け取る（以下、ブロッキングという。）。その上で一方の手に持った櫛でコーミングを数回行った後、櫛歯に捉えさせた毛髪を他方の手の指に挟む。次に櫛を他方の手に持ち替え、はさみにより毛髪をカットする。このためカット作業中に、美容師は櫛を何回も持ち替える必要が生じる。例えば子供の頭髪全体をカットする場合、熟練した美容師であっても３０〜４０回は櫛を持ち替える必要が生じる。
【０００６】
更に施術者が指でつかんだ毛髪を、そのまま指に沿ってカットする場合、カットラインが直線に揃わず、再度修正が必要な場合が生じる。またこのとき施術者は、はさみによって自分の指を傷つける場合も生じる。加えて、一回でカットする毛髪は少量であることから、作業に慣れていない施術者は、頭部全体の仕上がりイメージと現在の作業の進行状態を比較するために、カット中何度も確認をする時間を取らなければならない。
【０００７】
こうした点から、櫛を用いてカット又は染色作業をする場合、熟練した施術者でなければ作業を効率よく行うことができなかった。
【０００８】
このような問題に対して、例えば特許文献１では、親櫛と子櫛とから成り、親櫛により梳した毛髪を子櫛の櫛歯により挟むことで、カット予定位置までシェイピングすることができ、指で毛髪を挟み替えることなく、そのままはさみを用いてカットすることができるカット用櫛が提案されている。
【先行技術文献】
【特許文献】
【０００９】
【特許文献１】特開平１０−２８６１３号公報
【発明の概要】
【発明が解決しようとする課題】
【００１０】
しかしこのカット用櫛は構造上、親櫛と子櫛を別々に製造した後、嵌め合わせるという工程が必要となるため、その分製造コストが高くなるという問題が生じていた。
【００１１】
また、このカット用櫛の櫛歯が設けられている部分の面積は、従来同様に小さい。そのため、依然として一回のコーミングによって捉えさせることができる毛髪は少量であり、頭部全体を広範囲に多量にカット又は染色等をする場合、効率よく作業することができないという問題も生じていた。
【００１２】
そこで本発明は、上述した問題点に鑑みて案出されたものであり、その目的とするところは、一回のコーミングによって櫛歯の間隙に毛髪を多く捉えさせるとともに、ブロッキングや櫛の持ち替えを必要とせず、毛髪を直線的に揃えやすく、はさみにより施術者の指を傷つけることなく、施術者が頭部全体の仕上がりをイメージすることを容易とし、カット又は染色等の理美容作業を効率よく行うことができる、低コストで製造可能な理美容櫛及びこれを用いた理美容方法を提供することにある。
【課題を解決するための手段】
【００１３】
本発明は上記の目的を達成するために、本発明に係る理美容用櫛及びこれを用いた理美容方法は次のように構成したことを特徴とする。
【００１４】
即ち、第１発明に係る理美容用櫛は、支持部と、上記支持部の一側に一列に互いに略平行に設けられた複数の櫛歯とを備え、上記櫛歯は、その当接部を介して当接させた頭部に向かって押圧されることにより、各々が上記頭部の形状に応じて、曲げ弾性変形可能であることを特徴とする。
【００１５】
第２発明に係る理美容用櫛は、第１発明に係る理美容用櫛であって、上記複数の櫛歯は、上記曲げ弾性変形させた場合に、櫛歯の厚み方向の撓みが、０．５ｃｍ以上６．０ｃｍ以内となるように各々設定されていることを特徴とする。
【００１６】
第３発明に係る理美容用櫛は、第１発明又は第２発明に係る理美容用櫛であって、上記各々の櫛歯の根元から先端までの長さは、６．０〜２３．０ｃｍであり、上記各々の櫛歯の併設方向における幅は、１．０〜１２．０ｍｍであり、上記各々の櫛歯の厚みは、１．０〜５．０ｍｍであることを特徴とする。
【００１７】
第４発明に係る理美容用櫛は、第１〜第３発明のうち何れかに係る理美容用櫛であって、上記複数の櫛歯の併設方向の断面形状は、長方形であり、上記櫛歯の併設方向における櫛歯の幅をＷｍｍとし、上記櫛歯の厚みをＨｍｍとした場合に、Ｗ＞Ｈであることを特徴とする。このため、櫛歯の断面形状の長方形の長辺側が、頭部に当接される。
【００１８】
第５発明に係る理美容用櫛は、第１〜第４発明のうち何れかに係る理美容用櫛であって、上記櫛歯の併設方向における櫛歯の幅は、櫛歯の根元から先端部に至るまでの中間部において、各々一定であることを特徴とする。
【００１９】
第６発明に係る理美容用櫛は、第１〜第５発明のうち何れかに係る理美容用櫛であって、上記複数の櫛歯の根元から先端までの長さは、上記支持部の中央部に設けられた櫛歯が最も長く、他の櫛歯の長さは、上記支持部の中央部から左右の末端部に向かうに従って短い長さとされていることを特徴とする。このため、支持部の中央部に設けられている櫛歯は、他の櫛歯よりも大きく撓む。また相対的に、支持部の中央部から離れて設けられている櫛歯ほど、中央部に設けられている櫛歯より小さく撓む。
【００２０】
第７発明に係る理美容用櫛は、第１〜第６発明のうち何れかに係る理美容用櫛であって、上記櫛歯の間隔は、０〜３．０ｍｍ以内であることを特徴とする。
【００２１】
第８発明に係る理美容用櫛は、第１〜第７発明のうち何れかに係る理美容用櫛であって、上記各々の櫛歯は、合成樹脂からなり、上記各々の櫛歯の併設方向における櫛歯の幅は、約６．０ｍｍであり、上記各々の櫛歯の厚みは、約４．０ｍｍであり、上記櫛歯の間隔は、約１．０ｍｍであることを特徴とする。
【００２２】
第９発明に係る理美容用櫛は、第１〜第７発明のうち何れかに係る理美容用櫛であって、上記櫛歯どうしの間隙において、櫛歯の根元から先端までの間に、隣り合う櫛歯どうしを接触させた接触面が、少なくとも１面形成されていることを特徴とする。
【００２３】
第１０発明に係る理美容用櫛は、第１〜第９発明のうち何れかに係る理美容用櫛であって、上記櫛歯は、櫛歯の厚み方向に湾曲されていることを特徴とする。
【００２４】
第１１発明に係る理美容方法は、第１〜第１０発明のうち何れかに係る理美容用櫛の櫛歯を頭部に当接させ、上記当接部を上記頭部に向かって押圧しながら上記理美容用櫛をスライドさせることにより、毛髪を上記櫛歯の間に通しながら、各々の櫛歯を上記頭部の形状に対応して曲げ弾性変形させ、毛髪を梳き上げて理美容することを特徴とする。
【発明の効果】
【００２５】
第１発明によれば、支持部の中央部に設けられた櫛歯だけでなく末端部に設けられた櫛歯に至るまで、ほぼ全ての櫛歯の間に毛髪を捉えさせることができる。
【００２６】
第２発明によれば、施術者は理美容作業の時間を短縮することができる。
【００２７】
第３発明によれば、施術者は大きな力を加えなくても櫛をスライドさせることができる。また、櫛を取り扱いやすい形状とすることができる。
【００２８】
第４発明によれば、櫛歯を頭部に向かって押圧しながらスライドする動作の間、櫛歯は安定して応力を受けることから、施術者は理美容用櫛をスムーズにスライドさせることができる。また、櫛歯の間に毛髪を通したときに、隣り合う櫛歯の対向する面において、櫛歯を毛髪に接触させる面積を大きくすることができる。これにより、櫛歯の間に毛髪をしっかり捉えさせることができる。
【００２９】
第５発明によれば、繰り返し弾性変形させる櫛歯の疲労耐久性を向上できるとともに、櫛歯を容易に製造できる。
【００３０】
第６発明によれば、支持部の中央部に設けられた櫛歯を大きく撓ませることが容易となる。これにより、櫛歯を頭部の湾曲形状に対して、容易に押圧することができる。
【００３１】
第１０発明によれば、施術者は理美容用櫛の櫛歯を、頭部の湾曲形状に当接し易いとともに、容易にスライドさせることができる。
【００３２】
本発明を適用した理美容用櫛及びこれを用いた理美容方法は、上述した構成を有することから、施術者は一度のコーミングで、従来よりも多くの毛髪を櫛歯に捉えさせることができる。加えて毛髪を梳かすだけでなく、櫛歯にしっかりと捉えさせることができる。これにより施術者は、多くの毛髪を櫛歯に捉えさせたまま理美容作業を行うことができることから、ブロッキングや櫛の持ち替えを必要としない。またカット作業においては、はさみによって施術者自身の指を傷つけることがない上、毛髪を直線的にカットし易い。また頭部全体の仕上がりイメージと現在の作業の進行状態を比較することが容易となる。
【００３３】
従って、本発明を適用した理美容用櫛及びこれを用いた理美容方法を使用することにより、施術者は理美容作業全体の効率を向上できる。また、櫛歯の作用が単純であることから、施術者は容易に操作することができ、熟練者でなくてもこの理美容用櫛を用いることができる。更に、この理美容用櫛は比較的簡単な構成であることから、安価に大量製造することができる。
【図面の簡単な説明】
【００３４】
【図１】本発明を適用した理美容用櫛の構成図である。
【図２】本発明を適用した理美容用櫛の支持部の他の形態を示す図である。
【図３】本発明を適用した理美容用櫛の櫛歯の狭小部と先端からなる先端部を示す図である。
【図４】本発明を適用した他の実施形態の理美容用櫛を示す図である。
【図５】本発明を適用した他の実施形態の理美容用櫛を示す図である。
【図６】（ａ）は本発明を適用した理美容用櫛の図１中Ａ-Ａ線における一部断面図であり、（ｂ）は本発明を適用した理美容用櫛の図４中Ｂ-Ｂ線における一部断面図である。
【図７】（ａ）は本発明を適用した理美容用櫛の櫛歯が厚み方向に変形した状態を示す図であり、（ｂ）は本発明を適用した他の実施形態の理美容用櫛の櫛歯が厚み方向に変形した状態を示す図である。
【図８】本発明を適用した理美容用櫛の使用状態を示す図である。
【図９】本発明を適用した理美容用櫛の使用状態を示す図である。
【図１０】本発明を適用した理美容用櫛を使用した状態において、（ａ）は櫛歯の先端部を当接部とした使用状態を示す図であり、（ｂ）は櫛歯の中間部を当接部とした使用状態を示す図である。
【図１１】本発明を適用した理美容用櫛の使用状態を示す図である。
【図１２】従来の理美容用櫛の形態を示す図である。
【発明を実施するための形態】
【００３５】
以下、本発明の実施の形態について詳細に説明する。
【００３６】
図１（ａ）は、本発明に係る理美容用櫛１の正面図を、図１（ｂ）は、本発明に係る理美容用櫛１の平面図を、図１（ｃ）は本発明に係る理美容用櫛１の底面図を、図１（ｄ）は本発明に係る理美容用櫛１の右側面図を示している。
【００３７】
図１（ａ）に示すように、本発明に係る理美容用櫛１は、支持部２と、複数の櫛歯３とを備えている。
【００３８】
支持部２は、図１（ａ）における紙面前側に支持面２ａを有し、また、図１（ａ）における紙面後側に支持面２ａと対向する支持面２ｂを有している。また図１（ｄ）に示すように右側面部２ｄを有している。また右側面部２ｄと対向する左側面部２ｅを有している。また図１（ｃ）に示すように底面部２ｃを有し、底面部２ｃに対向する側に櫛歯３が設けられ、支持部２は櫛歯３の根元３ａへと連続している。
【００３９】
支持部２の形状は、図２（ａ）に示すように、左右の側面部２ｄ、２ｅが櫛歯３の併設方向に張り出されてなる形状でもよい。また図２（ｂ）に示すように、底面部２ｃ側へ向かうに従い、支持部２を一旦縮径させた後再度拡径させた突端部２ｆを形成してもよい。
【００４０】
支持部２の厚みは、図１中、櫛歯３の厚みＨと略同じ厚みとされているが、必ずしも略同じ厚みとされる必要はない。支持部２の厚みは櫛歯３の厚みＨより厚くても薄くてもよく、また部分的に櫛歯３の厚みＨより厚くても薄くてもよい。また図２（ｃ）に示すように、支持面２ａ又は２ｂ上に凸設又は凹設された手がかり部２ｇを設けてもよい。
【００４１】
また図２（ｄ）に示すように、左右の側面部２ｄ、２ｅの一方又は両方に、細歯部２ｈを設けてもよい。細歯部２ｈの細歯は短くて硬く、櫛歯３のように弾性変形しない。施術者は、櫛歯３を用いて頭部５全体の理美容作業を行うことができるとともに、細歯部２ｈを用いて細部の理美容作業も併せて行うことができる。
【００４２】
また図２（ｅ）に示すように、左右の側面部２ｄ又は２ｅの一方に、柄２ｉを設けてもよい。施術者は、柄２ｉを握ることで、理美容用櫛１を押圧し易くなる。
【００４３】
また図２（ｆ）に示すように、底面部２ｃ側に、毛髪６を捉えさせる櫛歯３とは異なる櫛歯３を設けてもよい。図２（ｆ）に示すように、この底面部２ｃ側の櫛歯３の長さｓは比較的短く、櫛歯３の間隔Lが比較的長い。また底面部２ｃ側の櫛歯３の幅Ｗ及び厚みＨは適宜設定されてよい。施術者は、対象となる毛髪６が乱れている場合、底面部２ｃ側のこの櫛歯３を用いて、毛髪６をカットや染色する前に全体的にコーミングして、毛髪６の流れを整えることができる。
【００４４】
支持部２は、ポリプロピレンやエポキシ樹脂等の合成樹脂によって、後述する櫛歯３と一体成形にて製造できる。しかし、支持部２の素材は合成樹脂に限定されるものではなく、木材や金属等その他の材料でもよい。
【００４５】
櫛歯３は、図１（ａ）に示すように一列に間隙４を空け、互いに略平行に設けられている。櫛歯３の本数は、図１（ａ）中、１５本であるが、必ずしも１５本に限定されず、適宜設定されてよい。
【００４６】
図３（ａ）は、櫛歯３の先端側の一つの形態を示す図である。図３（ｂ）は、櫛歯３の先端側の他の形態を示す図である。各々の図中の左側の図は正面図であり、右側の図は右側面図である。
【００４７】
櫛歯３は、図１及び図３（ａ）に示すように、その根元３ａから先端３ｄに至るまでに、中間部３ｂと、中間部３ｂから次第に縮径する狭小部３ｃを有する。
【００４８】
なお以下において、根元３ａとは、支持部２と櫛歯３の境目の部位とする。また以下において、櫛歯の長さｓは、特別に定義しない限り、その根元３ａから先端３ｄまでの長さのことをいう。また、以下において先端部３ｘは、特別に定義しない限り、狭小部３ｃと先端３ｄからなる部分のことをいう。
【００４９】
中間部３ｂは、図１（ａ）中、櫛歯３の延設方向に直線状に形成されているが、必ずしも直線状に限定されるものではない。中間部３ｂの一部は、図５に示すように、櫛歯３の併設方向に湾曲させ、根元３ａ側の間隙４の間隔Ｌと、先端部３ｘ側の間隙４の間隔Ｌを、相異なる長さとしてもよい。これにより、相対的に短い間隔Ｌを有する間隙４に毛髪６を差し込ませるとき、根元３ａ側に相対的に長い間隔Ｌを有する間隙４が存在することで、毛髪６を、櫛歯３の先端部３ｘ側から根元３ａ側へ送り込み易い。また、相対的に短い間隔Ｌを有する間隙４を構成する隣り合う櫛歯３は、多くの毛髪６を捉えることにより櫛歯３の併設方向に弾性変形させられる場合、その弾性力により毛髪６を挟み込む方向に付勢される。これにより櫛歯３は毛髪６をしっかりと捉えることができる。
【００５０】
中間部３ｂは、図７（ｂ）に示すように、櫛歯３の厚み方向に湾曲されたり、その他適宜の部位で折り曲げられたりしてもよい。また、一つの櫛に設けられた複数の櫛歯の湾曲形状が揃っていても、異なっていてもよい。中間部３ｂの湾曲形状は、円弧状、楕円弧状又は双曲線状でもよい。また円弧状の場合、その曲率半径は５．０〜１０．０ｃｍの範囲が望ましい。この範囲内であれば子供から大人まで一般的な人体頭部の曲率に対応でき、理美容用櫛として適している。
【００５１】
中間部３ｂの横断面形状は、図１２に示すように、略長方形とされている。しかし中間部３ｂの断面形状は略長方形に限定されず、略円形、略楕円形或いは多角形等の他の形状とされてよい。また図１中、中間部３ｂの幅Ｗ及び厚みＨは、図１中、根元３ａから狭小部３ｃに至るまで一定とされている。しかし幅Ｗが、部分的に広い部分や狭い部分が設けられてもよく、厚みＨが部分的に厚い部分や薄い部分が設けられてもよい。また櫛歯３が、根元３ａから直ちに先端３ｄに向かって縮径することで、中間部３ｂが設けられない形状とされてもよい。
【００５２】
狭小部３ｃは、図３（ａ）中、中間部３ｂから連続しながら先端３ｄを頂点として四角錘のように縮径している。そしてその横断面形状は長方形であるが、先端３ｄ側に向かうほど正円に近づくように縮径されている。しかしその先端３ｄ側の横断面形状は、必ずしも正円に限定されない。図３（ｂ）の場合のように長方形の形状や、その他正方形、楕円、多角形等の形状とされてもよい。
【００５３】
先端３ｄは、狭小部３ｃから連続しながら丸められ、所定の曲率半径を有している。また先端３ｄは、図１中、櫛歯３の延設方向における中心軸線上に配設されているが、必ずしも中心軸線上に限定される必要はなく、偏心した位置に配設されてもよい。
【００５４】
また先端３ｄは、図３（ｂ）の右側面図に示すように、図３（ｂ）の正面図の紙面前側の先端３ｄと紙面後側の先端３ｄの間に、厚みが設けられてもよい。
【００５５】
先端３ｄの曲率半径は、０．２５〜１．５０ｍｍの範囲が好ましい。先端３ｄの曲率半径が０．２５ｍｍ未満では先端３ｄが先鋭化されすぎて、先端３ｄが被施術者の頭部に当接された場合に、被施術者が不快を感じる。先端３ｄの曲率半径が１．５０ｍｍを超えると、毛髪６を効率的に分け取ることが難しい。
【００５６】
先端部３ｘの長さｋは、少なくとも約４．０ｍｍ以上であることが望ましい。長さｋが４．０ｍｍ未満では、櫛歯３の長さｓにおける狭小部３ｃの長さｋの比率が相対的に小さくなり、毛髪６を分け取ることが難しくなる。
【００５７】
櫛歯３の長さｓは、各々設定することができる。櫛歯３の長さｓは、図１（ａ）に示すように、支持部２の中央部に設けられた櫛歯３＿１の長さｓが最も長くなるように設定されてもよい。他の櫛歯３の長さｓは、図１（ａ）に示すように、支持部２の中央部から左右の末端部に向かうに従って短くなるように設定されてもよい。そして、支持部２の左右の末端部に設けられた櫛歯３＿２の長さｓが、図１（ａ）に示すように、最も短くなるように設定されてもよい。
【００５８】
このように長さｓが各々異なる櫛歯３が、各々の先端３ｄを水平に略一直線に揃えて支持部２に設けられている場合、各々の根元３ａの位置は、図１（ａ）に示すように、全体として緩やかな弧を描くように構成される。なお櫛歯３＿２の先端３ｄは、図１（ａ）中、その他の櫛歯３の先端３ｄが揃えられている高さよりも、若干低く配設されている。これにより、理美容用櫛１を被施術者の頭部５に接触させたとき、櫛歯３＿２の先端３ｄが、被施術者の頭部５や頚部を傷つけることを防止することができる。
【００５９】
櫛歯３＿１の長さｓは、６．０〜２３．０ｃｍの範囲が好ましい。さらに櫛歯３＿１の長さｓは、１０．０〜２０．０ｃｍの範囲がより好ましい。特に櫛歯３＿１の長さｓは、１２．０〜１７．０ｃｍの範囲が最も好ましい。櫛歯３＿１の長さｓが６．０ｃｍ未満では、櫛歯３を十分に弾性変形させることができず、櫛歯３＿１の長さｓが２３．０ｃｍを超えると、櫛歯３を被施術者の頭部５に不必要に接触させる場合が生じる。
【００６０】
また、櫛歯３＿１の長さｓを６．０〜２３．０ｃｍとした場合、櫛歯３の幅Ｗは、１．０〜１２．０ｍｍの範囲が好ましい。櫛歯３の幅Ｗが１．０ｍｍ未満では櫛歯３が薄くなりすぎ、櫛歯としての強度が不足し、かつ製造も困難となる。櫛歯３の幅Ｗが１２．０ｍｍを超えると、櫛歯３の間隙４を通じて櫛歯３の上部に至るまでの長さが長くなることから、毛髪６を適切に分け取ることが難しくなる。
【００６１】
また、櫛歯３＿１の長さｓを６．０〜２３．０ｃｍとした場合、櫛歯３の厚みＨは、１．０〜５．０ｍｍの範囲が好ましい。櫛歯３の厚みＨが１．０ｍｍ未満では櫛歯３が薄くなりすぎ、櫛としての強度が不足する。櫛歯３の厚みＨが５．０ｍｍを超えると櫛歯３が太くなりすぎ、櫛歯３を撓ませるために大きな力が必要となる場合が生じる。
【００６２】
間隔Ｌは適宜設定できるが、０〜３．０ｍｍの範囲が望ましい。間隔Ｌが０という場合、隣り合う櫛歯３どうしは、点又は線で接している。櫛歯３は、櫛歯３の厚み方向だけでなく併設方向にも弾性変形させることができる。よって間隔Ｌが０の部位は、理美容用櫛１をスライドさせるとき、毛髪６によって櫛歯３の先端側から押し広げられる。また間隔Ｌが３．０ｍｍを超えると、隣り合う櫛歯３の間隙４が広くなり、櫛歯３に毛髪６を捉えさせることが難しくなる。
【００６３】
なお間隙４において、図４に示すように、間隔Ｌが０である部位を一定の長さで連続して設けることにより、隣り合う櫛歯３どうしの接触面Ｍを形成させてもよい。接触面Ｍに毛髪６を差し込むと、櫛歯３は、弾性力により接触面Ｍにおいて毛髪６を挟み込む方向に付勢される。これにより、毛髪６をしっかりと捉えることができる。
【００６４】
櫛歯３を図１２に示すように撓ませた場合、櫛歯３は、その先端３ｄにおける、水平面Ｐからの最大垂直高さｈを有する。最大垂直高さｈは、本発明に係る理美容用櫛１を水平状態に配置し、櫛歯３が弾性変形可能である範囲内において、その先端３ｄを上方向又は下方向に最大限撓ませたときの、水平面Ｐからの変位量とした。
【００６５】
最大垂直高さｈは、０．５ｃｍ〜６．０ｃｍの範囲が好ましい。さらに最大垂直高さｈは、１．０ｃｍ〜４．０ｃｍの範囲がより好ましい。最大垂直高さｈが０．５ｃｍ未満では十分な撓みを得ることができず、効率的に理美容作業を行うことができない。最大垂直高さｈが６．０ｃｍを超えると、弾性変形により櫛歯３が復元する時間が長くなる場合が生じ、作業時間が長くなる。
【００６６】
櫛歯部材の曲げ弾性率は、１．５〜１５．０ＧＰａの範囲が好ましい。曲げ弾性率が１．５ＧＰａ未満では櫛歯３が柔らかすぎて、撓んだ後、復元する時間が長くなる。曲げ弾性率が１５．０ＧＰａを超える場合、櫛歯３を撓ませるために櫛歯３の長さｓを長くする等、櫛の形状を変形する必要が生じ、櫛としての扱いが難しくなる。
【００６７】
櫛歯３の素材は、合成樹脂を用いて支持部２と一体成形で製造することができる。合成樹脂の中でもポリプロピレンは、安価な素材であり、かつその曲げ弾性率は一般に約１．５ＧＰａ程度とされる。よって本発明に係る理美容用櫛１を工業的に大量生産する際に適している。
【００６８】
また櫛歯３は合成樹脂に限らず、マツ、スギ等の木材やその他の材料から製造されてもよい。木材の曲げ弾性率は一般に５．０〜１６．０ＧＰａ程度とされる。櫛歯部材が木材である場合、複数の櫛歯が被施術者の頭部５に与えるマッサージ効果と木材の柔軟性が相俟って、被施術者をよりリラックスさせることができる。
【００６９】
次に本発明を適用した理美容用櫛１の使用方法について説明する。
【００７０】
初めに、施術者は、全ての櫛歯３が略同一平面状に揃った状態の理美容用櫛１を一方の手に持ち、櫛歯３の先端３ｄを、カット又は染色したい毛髪６の手前位置で被施術者の頭部５に当接させる。そして、同時に頭部５に向かって櫛歯３を押圧し、ほぼ全ての櫛歯３を弾性変形させる。この動作によりほぼ全ての櫛歯３の先端部３ｘは、図８に示すように、櫛歯３に対向する頭部５の湾曲面に沿って当接される。
【００７１】
次に図９に示すように、施術者は、頭部５に向かって櫛歯３を押圧しつつ、理美容用櫛１全体を櫛歯３の延設方向にスライドさせることにより、櫛歯３の間隙４に毛髪６を差し込ませる。この動作に伴い、櫛歯３は頭部５から応力を受け、各々の櫛歯３は引き続き弾性変形する。
【００７２】
ここで図１０（ａ）に示すように、先端部３ｘを頭部５に当接させながら、理美容用櫛１を頭部５の湾曲形状に沿ってスライドさせる動作をしてもよい。これにより、櫛歯３を毛髪６の根元に確実に接触させ、多くの毛髪６を捉えさせることができる。
【００７３】
また図１０（ｂ）に示すように、中間部３ｂを当接部として頭部５に当接させ、理美容用櫛１を直線的にスライドさせる動作をしてもよい。即ち、櫛歯３が応力を受ける位置は、先端部３ｘから中間部３ｂに移動し、さらに中間部３ｂの中でも根本３ａに移動することとなる。これにより、図１０（ａ）の場合に比べ、一回のコーミングにかける時間を短くすることができる。
【００７４】
最後に図１１に示すように、施術者は、理美容用櫛１を頭部５から離して持ち上げる。この動作により全ての櫛歯３は、間隙４に毛髪６が捉えられたまま、弾性変形により、略同一平面状に揃った状態に復元する。この後、櫛歯３に捉えられている毛髪６を、施術者の他方の手に持つはさみや染色器具によりカット又は染色することにより、効率的に理美容作業を行うことができる。
【実施例１】
【００７５】
櫛歯３の幅Ｗ及び先端部3ｘの長さｋが一定であるとき、先端３ｄの曲率半径が小さくなると、狭小部３ｃの、櫛歯３の延設方向における中心軸線に対する角度は大きくなる。よって隣り合う櫛歯３の先端３ｄどうしの距離は、櫛歯３の間隔Ｌに比べ大きくなる。そのため施術者は、毛髪６を多く分け取ることができる。しかし先端３ｄと頭部５との接触面が少ないため、被施術者は先端３ｄが当接されたときに不快を感じる場合がある。反対に、先端３ｄの曲率半径が大きくなると、狭小部３ｃの、櫛歯３の延設方向における中心軸線に対する角度は小さくなる。よって隣り合う櫛歯３の先端３ｄどうしの距離は、櫛歯３の間隔Ｌに近づく。そのため施術者は、相対的に毛髪６を多く分け取ることはできない。しかし先端３ｄと頭部５との接触面が多いため、被施術者は先端３ｄを当接されたときに不快を感じることは少ない。
【００７６】
そこで本発明者は、先端３ｄの曲率半径の好適範囲を明らかにするため、下記のような実験１を行なった。
【００７７】
実験１では、０．０５〜２．００ｍｍまでの間で異なる曲率半径とされた先端３ｄを有する櫛歯３を１０種類製作し、これらの櫛歯３を備えた理美容用櫛１を用意した。そして、この理美容用櫛１を用いてカット作業を行った場合に、カットを行った施術者とカットを受けた被施術者にインタビューすることにより、施術者の作業性の評価と被施術者の評価を得た。
【００７８】
ここで、施術者の作業性の評価とは、この理美容用櫛１でコーミングをしたとき、施術者が毛髪６を分け取る作業に、ストレスを感じる度合いとした。具体的には一回でもストレスを感じた場合を×、ストレスを感じない場合は△、快適と感じる場合は○として３段階により表した。また、被施術者の評価とは、そのコーミングを受けたとき、被施術者が不快を感じる度合いとした。具体的には一回でも不快を感じた場合を×、不快を感じない場合は△、快適と感じる場合は○として３段階により表した。施術者は、３０年の経験を有する美容師とし、被施術者は２０歳台の女性とした。
【００７９】
実験に用いた理美容用櫛１は、以下のように構成した。
【００８０】
支持部２と櫛歯３は、ポリプロピレンから一体成形で製造される。櫛歯３の中間部３ｂの横断面形状は略長方形とされ、幅Ｗと厚みＨは一定とされている。狭小部３ｃは、先端３ｄを頂点として四角錘のように縮径し、その横断面形状は長方形から、先端３ｄ側に向かうほど正円に近づくように縮径されている。先端３ｄは丸められている。櫛歯３＿１の長さｓが最も長く設定され、約１５．０ｃｍである。他の櫛歯３の長さｓは、支持部２の中央部から左右の末端部に向かうに従って左右対称的に短く設定され、櫛歯３＿２の長さｓは約１４．０ｃｍで左右とも同じ長さとされる。複数の櫛歯３の先端３ｄが図１（ａ）に示すように略一直線に揃うように、その他の櫛歯３の長さｓは調節されている。また櫛歯３＿２の長さｓも、その先端３ｄがその他の櫛歯３の先端位置より若干低く配設されるように調節されている。先端部３ｘの長さｋは約１．８ｃｍである。櫛歯３の幅Ｗは約６．０ｍｍ、櫛歯３の厚みＨは約４．０ｍｍである。櫛歯３の間隔Ｌは、約１．０ｍｍである。
【００８１】
表１は、この実験１から得られた結果を表す。
【００８２】
【表１】
2010227205.tif 000003
【００８３】
この表１より先端３ｄの曲率半径が、０．２５〜１．５０ｍｍの範囲である場合、施術者の作業性の評価が△及び○であることが確認できる。また先端３ｄの曲率半径が、０．２５ｍｍ以上である場合、被施術者の評価が△及び○であることが確認できる。
【００８４】
これにより本実験の条件下では、先端３ｄの曲率半径の好適範囲は０．２５〜１．５０ｍｍの範囲であることがわかる。
【実施例２】
【００８５】
所定の最大垂直高さｈを得る必要がある場合、櫛歯３の長さｓ以外の条件が一定であるとき、櫛歯３の長さｓが長い程、施術者は軽い力で櫛歯３を大きく撓ませることができる。しかし櫛歯３の長さｓが長すぎると、櫛歯３を被施術者の頭部５に不必要に接触させる場合が生じる。
【００８６】
そこで本発明者は、櫛歯３の長さｓの好適範囲を明らかにするため、下記のような実験２を行なった。
【００８７】
実験２では、櫛歯３＿１の長さｓが５．０〜２４．０ｃｍまでの間で異なる長さとされた理美容用櫛１を２０種類用意した。そして、最大垂直高さｈ＝１．５（ｃｍ）を得るために必要な荷重（ｇ重）を計測するとともに、この理美容用櫛１を用いてカット作業を行った場合に、カットを行った施術者の作業性の評価を明らかにした。
【００８８】
荷重を計測する実験は以下のように行った。まず曲率半径９ｃｍの球体表面を一般的な成人の頭部と見立て、球体表面のモデルを厚さ２ｃｍのスギ板で作成し、計量器に載せた。球体モデルには垂直方向に目盛りをつけた。そして用意した櫛を水平状態のまま、櫛歯３＿１を球体モデルの頂上に当接した。そして１５本の櫛歯３の先端部３ｘを全て球体表面に当接させるように鉛直下方に押圧し、左右の櫛歯３＿２の位置が、櫛歯３＿１より１．５ｃｍ下の位置になるまで荷重を加えた。
【００８９】
ここで施術者の作業性の評価とは、施術者がこの理美容用櫛１でカット作業を行う間、櫛の取り扱いにストレスを感じる度合いとした。櫛の取り扱いについては、施術者が押圧するときの荷重の加えやすさ、カットウィックに不必要に接触しないか否か、取り回しのときに重いと感じるか等を総合的に判断して評価した。具体的には一回でもストレスを感じた場合を×、ストレスを感じない場合は△、快適と感じる場合は○、非常に快適と感じる場合は◎として４段階により表した。施術者は３０年の経験を有する美容師とし、カットウィックはフォンテーヌ社製レッスン用カットウィック（ＦＣ１０８Ｎ）を用いた。
【００９０】
実験に用いた理美容用櫛１は、以下のように構成した。
【００９１】
支持部２と櫛歯３は、ポリプロピレンから一体成形で製造される。櫛歯３の中間部３ｂの横断面形状は略長方形とされ、幅Ｗと厚みＨは一定とされている。狭小部３ｃは、先端３ｄを頂点として四角錘のように縮径し、その横断面形状は長方形から、先端３ｄ側に向かうほど正円に近づくように縮径されている。先端３ｄは丸められ、その曲率半径は、約０．９０ｍｍである。櫛歯３＿１の長さｓが最も長く設定されている。他の櫛歯３の長さｓは、支持部２の中央部から左右の末端部に向かうに従って左右対称的に短く設定されている。複数の櫛歯３の先端３ｄが図１（ａ）に示すように略一直線に揃うように、その他の櫛歯３の長さｓは調節されている。また櫛歯３＿２の長さｓも、その先端３ｄがその他の櫛歯３の先端位置より若干低く配設されるように調節されている。櫛歯３＿２の長さｓは、櫛歯３＿１の長さｓよりも約１．０ｃｍ短い長さとし、左右とも同じとした。先端部３ｘの長さｋは約１．８ｃｍである。櫛歯３の幅Ｗは約６．０ｍｍ、櫛歯３の厚みＨは約４．０ｍｍである。櫛歯３の間隔Ｌは、約１．０ｍｍである。
【００９２】
表２は、この実験２から得られた結果を表す。
【００９３】
【表２】
2010227205.tif 000004
【００９４】
この表２より櫛歯３＿１の長さｓが、７．０〜２３．０ｃｍの範囲である場合、約６５〜約２０００ｇ重の荷重が必要とされることが確認できる。また施術者の作業性の評価が△及び○および◎であることが確認できる。
【００９５】
また櫛歯３＿１の長さｓが、１０．０〜２０．０ｃｍの範囲である場合、約１００ｇ重〜約８５０ｇ重の荷重が必要とされることが確認できる。また施術者の作業性の評価が○及び◎であることが確認できる。
【００９６】
また櫛歯３＿１の長さｓが、１２．０〜１７．０ｃｍの範囲である場合、約１５０ｇ重〜約５００ｇ重の荷重が必要とされることが確認できる。また施術者の作業性の評価が◎であることが確認できる。
【００９７】
これにより本実験の条件下では、櫛歯３＿１の長さｓの好適範囲は７．０〜２３．０ｃｍの範囲であることがわかる。
【実施例３】
【００９８】
櫛歯３の部材の曲げ弾性率以外の条件が一定であるとき、曲げ弾性率が小さい程、櫛歯３の最大垂直高さｈは大きくなる。よって施術者は軽い力で櫛歯３を大きく撓ませることができる。しかし櫛歯３が弾性変形によって、最初の状態に復元する時間は長くなる。反対に、曲げ弾性率が大きい程、櫛歯３の最大垂直高さｈは小さくなる。よって施術者は櫛歯３を撓ませるために大きな力を必要とする。しかし櫛歯３が弾性変形によって、最初の状態に復元する時間は短くなる。
【００９９】
そこで本発明者は、櫛歯３の最大垂直高さｈの好適範囲を明らかにするため、下記のような実験３を行なった。
【０１００】
実験３では、櫛歯３の最大垂直高さｈが、０．０〜６．０ｃｍまでの間で異なる高さとされた理美容用櫛１を６種類用意した。そして、この理美容用櫛１を用いて所定のカット作業を行った場合の作業時間を明らかにした。施術者は３０年の経験を有する美容師とし、カットモデルはフォンテーヌ社製レッスン用カットウィック（ＦＣ１０８Ｎ）を用いた。カットするスタイルは頭頂部の毛髪６を約１０ｃｍカットするスクエアカットとした。また作業時間（分）の１分未満は繰り上げとした。
【０１０１】
実験に用いた理美容用櫛１は、以下のように構成した。
【０１０２】
櫛歯３の中間部３ｂの横断面形状は略長方形とされ、幅Ｗと厚みＨは一定とされている。狭小部３ｃは、先端３ｄを頂点として四角錘のように縮径し、その横断面形状は長方形から、先端３ｄ側に向かうほど正円に近づくように縮径されている。先端３ｄは丸められ、その曲率半径は、約０．９０ｍｍである。櫛歯３＿１の長さｓが最も長く設定され、約１５．０ｃｍである。他の櫛歯３の長さｓは、支持部２の中央部から左右の末端部に向かうに従って左右対称的に短く設定され、櫛歯３＿２の長さｓは約１４．０ｃｍで左右とも同じ長さとされる。複数の櫛歯３の先端３ｄが図１（ａ）に示すように略一直線に揃うように、その他の櫛歯３の長さｓは調節されている。また櫛歯３＿２の長さｓも、その先端３ｄがその他の櫛歯３の先端位置より若干低く配設されるように調節されている。先端部３ｘの長さｋは約１．８ｃｍである。櫛歯３の幅Ｗは約６．０ｍｍ、櫛歯３の厚みＨは約４．０ｍｍである。櫛歯３の間隔Ｌは、約１．０ｍｍである。表中ｈが０．０〜１．０の櫛歯３は木材により、またｈが２．０〜６．０の櫛歯３はエポキシ樹脂により、各々その弾性率を異ならせるように製造されている。これにより、各々の櫛歯３の最大垂直高さｈを異ならせた。
【０１０３】
表３は、この実験３から得られた結果を表す。
【０１０４】
【表３】
2010227205.tif 000005
【０１０５】
この表３より櫛歯３の最大垂直高さｈが、０．５〜６．０ｃｍの範囲である場合、作業時間は約１５分以内であることが確認できる。また櫛歯３の最大垂直高さｈが、１．０〜４．０ｃｍの範囲である場合、作業時間は約１０分以内であることが確認できる。そして櫛歯３の最大垂直高さｈが、約２．０ｃｍである場合、作業時間は約５分と最も短いことが確認できる。
【０１０６】
これにより本実験の条件下では、櫛歯３の最大垂直高さｈの好適範囲は０．５〜６．０ｃｍの範囲であることがわかる。
【符号の説明】
【０１０７】
１        ：理美容用櫛
２        ：支持部
２ａ、２ｂ：支持面
２ｃ      ：底面部
２ｄ、２ｅ：側面部
２ｆ      ：突端部
２ｇ      ：手がかり部
２ｈ      ：細歯部
２ｉ      ：柄
３        ：櫛歯
３＿１    ：支持部の中央部に設けられた櫛歯
３＿２    ：支持部の末端部に設けられた櫛歯
３ａ      ：根元
３ｂ      ：中間部
３ｃ      ：狭小部
３ｄ      ：先端
３ｘ      ：先端部
４        ：間隙
５        ：被施術者の頭部
６        ：毛髪
３１      ：従来の櫛
３２      ：従来の櫛の支持部
３３      ：従来の櫛の櫛歯
３４      ：従来の櫛の柄
ｋ        ：櫛歯の先端部の長さ
ｈ        ：櫛歯の先端の最大垂直高さ
ｓ        ：櫛歯の根元から先端までの長さ
Ｌ        ：櫛歯の間隔
Ｍ        ：櫛歯の接触面
Ｐ        ：水平面
Ｗ        ：櫛歯の幅
Ｈ        ：櫛歯の厚み
【図１】
2010227205.tif 000006
【図２】
2010227205.tif 000007
【図３】
2010227205.tif 000008
【図４】
2010227205.tif 000009
【図５】
2010227205.tif 000010
【図６】
2010227205.tif 000011
【図７】
2010227205.tif 000012
【図８】
2010227205.tif 000013
【図９】
2010227205.tif 000014
【図１０】
2010227205.tif 000015
【図１１】
2010227205.tif 000016
【図１２】
2010227205.tif 000017
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
支持部と、
上記支持部の一側に一列に互いに略平行に設けられた複数の櫛歯とを備え、
上記櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形すること
を特徴とする理美容用櫛。
【請求項２】
上記各々の櫛歯の併設方向における幅は、１．０〜１２．０ｍｍであり、
上記各々の櫛歯の厚みは、１．０〜５．０ｍｍであること
を特徴とする請求項１記載の理美容用櫛。
【請求項３】
上記櫛歯の併設方向の断面形状は、長方形であり、
上記櫛歯の併設方向における幅をＷｍｍとし、上記櫛歯の厚みをＨｍｍとした場合に、Ｗ＞Ｈであること
を特徴とする請求項１又は２記載の理美容用櫛。
【請求項４】
上記櫛歯の併設方向における幅は、櫛歯の根元から、櫛歯の先端部に至るまでの中間部において、各々一定であること
を特徴とする請求項１〜３のうち何れか１項記載の理美容用櫛。
【請求項５】
上記複数の櫛歯の根元から先端までの長さは、上記支持部の中央部に設けられた櫛歯が最も長く、他の櫛歯の長さは、上記支持部の中央部から左右の末端部に向かうに従って短い長さとされていること
を特徴とする請求項１〜４のうち何れか１項記載の理美容用櫛。
【請求項６】
上記櫛歯の間隔は、０〜３．０ｍｍ以内であること
を特徴とする請求項１〜５のうち何れか１項記載の理美容用櫛。
【請求項７】
上記櫛歯は、合成樹脂からなり、
上記櫛歯の併設方向における幅は、約６．０ｍｍであり、
上記櫛歯の厚みは、約４．０ｍｍであり、
上記櫛歯の間隔は、約１．０ｍｍであること
を特徴とする請求項１〜６のうち何れか１項記載の理美容用櫛。
【請求項８】
上記櫛歯どうしの間隙において、櫛歯の根元から先端までの間に、隣り合う櫛歯どうしを接触させた接触面が、少なくとも１面形成されていること
を特徴とする請求項１〜６のうち何れか１項記載の理美容用櫛。
【請求項９】
上記櫛歯は、櫛歯の厚み方向に湾曲されていること
を特徴とする請求項１〜８のうち何れか１項記載の理美容用櫛。
【請求項１０】
請求項１〜９のうち何れか１項記載の理美容用櫛の櫛歯を頭部に当接させ、
上記当接部を上記頭部に向かって押圧しながら上記理美容用櫛をスライドさせることにより、上記頭部の毛髪を上記櫛歯の間に通しながら、各々の櫛歯を上記頭部の形状に対応して曲げ弾性変形させ、
上記毛髪を梳き上げて理美容すること
を特徴とする理美容方法。
【手続補正２】
【補正対象書類名】明細書
【補正対象項目名】００１４
【補正方法】変更
【補正の内容】
【００１４】
即ち、第１発明に係る理美容用櫛は、支持部と、上記支持部の一側に一列に互いに略平行に設けられた複数の櫛歯とを備え、上記櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
第２発明に係る理美容用櫛は、第１発明に係る理美容用櫛であって、上記各々の櫛歯の併設方向における幅は、１．０〜１２．０ｍｍであり、上記各々の櫛歯の厚みは、１．０〜５．０ｍｍであることを特徴とする。
【手続補正５】
【補正対象書類名】明細書
【補正対象項目名】００１７
【補正方法】変更
【補正の内容】
【００１７】
第３発明に係る理美容用櫛は、第１〜第２発明のうち何れかに係る理美容用櫛であって、上記複数の櫛歯の併設方向の断面形状は、長方形であり、上記櫛歯の併設方向における櫛歯の幅をＷｍｍとし、上記櫛歯の厚みをＨｍｍとした場合に、Ｗ＞Ｈであることを特徴とする。このため、櫛歯の断面形状の長方形の長辺側が、頭部に当接される。
【手続補正６】
【補正対象書類名】明細書
【補正対象項目名】００１８
【補正方法】変更
【補正の内容】
【００１８】
第４発明に係る理美容用櫛は、第１〜第３発明のうち何れかに係る理美容用櫛であって、上記櫛歯の併設方向における櫛歯の幅は、櫛歯の根元から先端部に至るまでの中間部において、各々一定であることを特徴とする。
【手続補正７】
【補正対象書類名】明細書
【補正対象項目名】００１９
【補正方法】変更
【補正の内容】
【００１９】
第５発明に係る理美容用櫛は、第１〜第４発明のうち何れかに係る理美容用櫛であって、上記複数の櫛歯の根元から先端までの長さは、上記支持部の中央部に設けられた櫛歯が最も長く、他の櫛歯の長さは、上記支持部の中央部から左右の末端部に向かうに従って短い長さとされていることを特徴とする。このため、支持部の中央部に設けられている櫛歯は、他の櫛歯よりも大きく撓む。また相対的に、支持部の中央部から離れて設けられている櫛歯ほど、中央部に設けられている櫛歯より小さく撓む。
【手続補正８】
【補正対象書類名】明細書
【補正対象項目名】００２０
【補正方法】変更
【補正の内容】
【００２０】
第６発明に係る理美容用櫛は、第１〜第５発明のうち何れかに係る理美容用櫛であって、上記櫛歯の間隔は、０〜３．０ｍｍ以内であることを特徴とする。
【手続補正９】
【補正対象書類名】明細書
【補正対象項目名】００２１
【補正方法】変更
【補正の内容】
【００２１】
第７発明に係る理美容用櫛は、第１〜第６発明のうち何れかに係る理美容用櫛であって、上記各々の櫛歯は、合成樹脂からなり、上記各々の櫛歯の併設方向における櫛歯の幅は、約６．０ｍｍであり、上記各々の櫛歯の厚みは、約４．０ｍｍであり、上記櫛歯の間隔は、約１．０ｍｍであることを特徴とする。
【手続補正１０】
【補正対象書類名】明細書
【補正対象項目名】００２２
【補正方法】変更
【補正の内容】
【００２２】
第８発明に係る理美容用櫛は、第１〜第６発明のうち何れかに係る理美容用櫛であって、上記櫛歯どうしの間隙において、櫛歯の根元から先端までの間に、隣り合う櫛歯どうしを接触させた接触面が、少なくとも１面形成されていることを特徴とする。
【手続補正１１】
【補正対象書類名】明細書
【補正対象項目名】００２３
【補正方法】変更
【補正の内容】
【００２３】
第９発明に係る理美容用櫛は、第１〜第８発明のうち何れかに係る理美容用櫛であって、上記櫛歯は、櫛歯の厚み方向に湾曲されていることを特徴とする。
【手続補正１２】
【補正対象書類名】明細書
【補正対象項目名】００２４
【補正方法】変更
【補正の内容】
【００２４】
第１０発明に係る理美容方法は、第１〜第９発明のうち何れかに係る理美容用櫛の櫛歯を頭部に当接させ、上記当接部を上記頭部に向かって押圧しながら上記理美容用櫛をスライドさせることにより、毛髪を上記櫛歯の間に通しながら、各々の櫛歯を上記頭部の形状に対応して曲げ弾性変形させ、毛髪を梳き上げて理美容することを特徴とする。
【手続補正１３】
【補正対象書類名】明細書
【補正対象項目名】００２５
【補正方法】変更
【補正の内容】
【００２５】
本発明によれば、支持部の中央部に設けられた櫛歯だけでなく末端部に設けられた櫛歯に至るまで、ほぼ全ての櫛歯の間に毛髪を捉えさせることができる。
【手続補正１４】
【補正対象書類名】明細書
【補正対象項目名】００２６
【補正方法】変更
【補正の内容】
【００２６】
本発明によれば、施術者は理美容作業の時間を短縮することができる。
【手続補正１５】
【補正対象書類名】明細書
【補正対象項目名】００２７
【補正方法】変更
【補正の内容】
【００２７】
本発明によれば、施術者は大きな力を加えなくても櫛をスライドさせることができる。また、櫛を取り扱いやすい形状とすることができる。
【手続補正１６】
【補正対象書類名】明細書
【補正対象項目名】００２８
【補正方法】変更
【補正の内容】
【００２８】
本発明によれば、櫛歯を頭部に向かって押圧しながらスライドする動作の間、櫛歯は安定して応力を受けることから、施術者は理美容用櫛をスムーズにスライドさせることができる。また、櫛歯の間に毛髪を通したときに、隣り合う櫛歯の対向する面において、櫛歯を毛髪に接触させる面積を大きくすることができる。これにより、櫛歯の間に毛髪をしっかり捉えさせることができる。
【手続補正１７】
【補正対象書類名】明細書
【補正対象項目名】００２９
【補正方法】変更
【補正の内容】
【００２９】
本発明によれば、繰り返し弾性変形させる櫛歯の疲労耐久性を向上できるとともに、櫛歯を容易に製造できる。
【手続補正１８】
【補正対象書類名】明細書
【補正対象項目名】００３０
【補正方法】変更
【補正の内容】
【００３０】
本発明によれば、支持部の中央部に設けられた櫛歯を大きく撓ませることが容易となる。これにより、櫛歯を頭部の湾曲形状に対して、容易に押圧することができる。
【手続補正１９】
【補正対象書類名】明細書
【補正対象項目名】００３１
【補正方法】変更
【補正の内容】
【００３１】
本発明によれば、施術者は理美容用櫛の櫛歯を、頭部の湾曲形状に当接し易いとともに、容易にスライドさせることができる。